(57)【特許請求の範囲】
【請求項１】
前面が開口した遊技機本体と、この遊技機本体の一側部に、上記遊技機本体の前面開口部を閉じた閉位置と前面開口部を開いた開位置との間をヒンジを介して開閉回動可能に支持された扉とを備え、上記遊技機本体の内部の前面側には上記扉に向って起立する第１起立部を有する本体側防犯プレートが設けられ、上記扉の背面側には、上記扉が閉位置に位置しているときに上記遊技機本体に向って起立して上記第１起立部と対向する第２起立部を有する扉側防犯プレートが設けられた遊技機において、
上記第１、第２起立部をそれぞれ上記遊技機本体及び上記扉の全周にわたって環状に形成し、上記扉が閉位置に位置しているときに、上記第２起立部の全体が上記第１起立部の内周側に位置するように上記第１、第２起立部を配置し、上記扉が閉位置に位置しているときに、上記ヒンジの上記遊技機本体に取り付けられた部分が上記第１、第２起立部の対向方向において上記第１起立部の内側に位置するように上記ヒンジを配置したことを特徴とする遊技機。
【発明の詳細な説明】
【０００１】
【発明の属する技術分野】
この発明は、パチンコ遊技機やスロット遊技機（パチスロ遊技機）等の遊技機に関する。
【０００２】
【従来の技術】
一般に、パチンコ遊技機においては、遊技機本体とその前面開口部を開閉する扉とに防犯プレートをそれぞれ設け、それによって外部からピアノ線等を遊技機本体内に挿入して不正行為が行われるのを防止している。
【０００３】
図９は、従来のパチンコ遊技機における防犯構造を示すものであり、前面部（図９において上面部）が開口した遊技機本体１の内側面の開口部側端部には、本体側防犯プレート２が全周にわたって設けられている。本体側防犯プレート２の一部は、遊技機本体１から扉３側へ突出しており、そこが第１起立部２ａになっている。一方、扉３の背面部には、扉側防犯プレート４が全周にわたって設けられている。扉側防犯プレート４は、遊技機本体１側に向かって起立する第２起立部４ａを有している。
【０００４】
従来のパチンコ遊技機においては、第１起立部２ａの一部が第２起立部４ａの外側に配置され、他の一部が第２起立部４ａの内側に配置されていた。例えば、図８に示すように、第１起立部２ａの図８における上下の辺部及び右辺部が、第２起立部４ａの外側に配置され、第１起立部２ａの左辺部が、第２起立部４ａの左辺部より内側に配置されていた。
【０００５】
上記のような構造であると、図８においてイ〜ニで示す箇所以外の箇所では、図９に示すように、第１、第２起立部２ａ，４ａが互いに近接した状態で対向する。したがって、遊技機本体１と扉３との間の隙間Ｇからピアノ線Ｐ等を挿入した場合、仮にピアノ線Ｐが外側に位置する第１起立部２ａ（第２起立部４ａ）を乗り越えることができたとしても、第１起立部２ａ（第２起立部４ａ）を乗り越えたピアノ線Ｐの先端部は、第２起立部４ａ（第１起立部２ａ）に直ちに突き当たる。このため、ピアノ線Ｐは、それ以上内部に進入することが不可能になる。したがって、不正行為を防止することができる。
【０００６】
【発明が解決しようとする課題】
しかしながら、図８において符号イ〜ニで示す箇所においては、第１、第２起立部２ａ，４ａが対向することがない。しかも、図１０に示すように、第１、第２起立部２ａ，４ａが交差する関係上、第１、第２起立部２ａ，４ａの少なくとも一方は、他方を挿通するために切り欠かれている（図１０の場合、第２起立部４ａが切り欠かれている。）。このような構造では、ピアノ線Ｐを例えば符号イで示す箇所において第１起立部２ａを乗り越えさせた後、切欠き部を通して第２起立部４ａを通過させることができる。このため、不正行為が行われる危険性があった。
【０００７】
【課題を解決するための手段】
この発明は、上記の問題解決するために、前面が開口した遊技機本体と、この遊技機本体の一側部に、上記遊技機本体の前面開口部を閉じた閉位置と前面開口部を開いた開位置との間を開閉回動可能に支持された扉とを備え、上記遊技機本体の内部の前面側には上記扉側に向かって起立する第１起立部を有する本体側防犯プレートが設けられ、上記扉の背面側には、上記遊技機本体側に向かって起立し、かつ上記扉が閉位置に位置しているときには上記第１起立部と対向する第２起立部を有する扉側防犯プレートが設けられた遊技機において、上記第１、第２起立部を環状に形成し、上記第１、第２起立部のいずれか一方の全体を他方の内周側に配置したことを特徴としている。
この場合、上記第２起立部を上記第１起立部の内周側に配置することが望ましい。
【０００８】
【発明の実施の形態】
以下、この発明の実施の形態について図１〜図７を参照して説明する。
図１〜図５は、この発明の第１実施の形態を示すものである。この実施の形態のパチスロ遊技機（遊技機）１０は、図１及び図５に示すように、遊技機本体１１と扉１２とを備えている。
【０００９】
遊技機本体１１は、前面部（図１において左側の面部）が開口した略直方体の箱状をなしている。遊技機本体１１の内部には、リール回転機等のパチスロ遊技機として必要な各種の機器（いずれも図示せず）が収容されている。
【００１０】
図１〜図３及び図５に示すように、遊技機本体１１の内側面のうち前面側の端部には、本体側防犯プレート１３が設けられている。本体側防犯プレート１３は、金属製の板材からなるものであり、遊技機本体１１の全周にわたって設けられている。したがって、本体側防犯プレート１３は、遊技機本体１１の前面開口部と同様に四角形の環状に形成されている。遊技機本体１１の前面側におけるプレート１３の一側部は、遊技機本体１１の前面から前方に突出しており、その前方に突出した一側部が第１起立部１３ａになっている。
【００１１】
扉１２は、図５に示すように、深さの浅い箱状をなしており、その開放部を遊技機本体１１側に向けた状態で遊技機本体１１の一側部にヒンジ１４，１４（図１〜図３参照）を介してほぼ水平方向へ回動可能に支持されている。扉１２は、図２に示す開位置と図３に示す閉位置との間のほぼ９０°の範囲を回動可能になっている。扉１２は、開位置に位置しているときには遊技機本体１１の一側部の延長上に位置し、遊技機本体１１の前面開口部を開く。逆に、閉位置では扉１２の背面の周縁部が遊技機本体１１の前面と全周にわたってほぼ接触し、遊技機本体１１の開口部を閉じる。扉３の前面部には、リール回転機のリールを覗く窓、リールをストップさせるボタン（いずれも図示せず）等が設けられている。
【００１２】
図１〜図３及び図５に示すように、扉１２の内側面の開放側端部（遊技機本体１１側の端部）には、扉側防犯プレート１５が設けられている。扉側防犯プレート１５は、金属板からなるものであり、扉１２の内側面の全周にわたって設けられている。したがって、扉側防犯プレート１５は、扉１２の開放部と同様に四角形の環状に形成されている。図２及び図３に示すように、扉側防犯プレート１５は、扉１２の内側面に取り付けられる取付板部１５ａと、この取付板部１５ａの遊技機本体１１側の端部から扉１２の背面に沿って内側に延び出す延出板部１５ｂと、延出板部１５ｂの内側の端部から遊技機本体１１側に向かって起立する第２起立部１５ｃとから構成されている。
【００１３】
図４に示すように、第２起立部１５ｃによって形成される四角形は、第１起立部１３ａによって形成される四角形より若干小さく形成されており、扉１２が閉位置に回動したときには、第２起立部１５ｃ全体が第１起立部１３ａの内側に位置するようになっている。しかも、図３に示すように、第１起立部１３ａと第２起立部１５ｃとは、遊技機本体１１の前面に沿う方向において互いに対向するように配置されている。特に、この実施の形態では、第１、第２起立部１３ａ，１５ｃの大部分が遊技機本体１１の前面より扉１２側において対向するようになっている。
【００１４】
上記構成のパチスロ遊技機１０においては、扉１２を閉位置に回動させたとき、第２起立部１５ｃ全体が第１起立部１３ａの内側に位置しており、第１、第２起立部１３ａ，１５ｃは、互いに交差することがなく、全周にわたって互いに対向する。したがって、遊技機本体１２と扉１３との間の隙間Ｇ（図３参照）からピアノ線（図示せず）等が遊技機本体１１内に挿入され、当該ピアノ線等が第１起立部１３ａを乗り越えたとしても、ピアノ線等の先端部は第２起立部１５ｃに直ちに突き当たり、それ以上内側に侵入することができない。よって、不正行為を確実に防止することができる。
【００１５】
図６は、この発明の第２実施の形態を示す。この実施の形態のパチスロ遊技機（遊技機）１０′においては、遊技機本体１１の前面の内周側に環状凹部１１ａが形成されている。また、本体側防犯プレート１３′の前面側端部には、環状凹部１１ａの底面に沿って外周側へ延び出す延出部１３ｂが形成されており、この延出部１３ｂの外側の端部に第１起立部１３ａが形成されている。第１起立部１３ａの高さは、環状凹部１１ａの深さ、つまり環状凹部１１ａの底面から遊技機本体１１の前面までの距離より高く設定されている。一方、扉１２に設けられた扉側防犯プレート１５′は、断面Ｌ字状をなしており、取付板部１５ａが扉１２の背面に取りつけられている。この取付板部１５ａの外側の端部には、上記の実施の形態における延出板部１５ｂが設けられておらず、第２起立部１５ｃが直接設けられている。その他の構成は、上記実施の形態と同様である。したがって、扉１２の閉時には、第１起立部１３ａと第２起立部１５ｃとが互いに近接した状態で対向する。よって、この実施の形態のパチスロ遊技機１０′においても、不正行為を確実に防止することができる。
【００１６】
図７は、この発明の第３実施の形態を示す。この実施の形態においては、本体側防犯プレート１３及び扉側防犯プレート１５に代えて本体側防犯プレート１３″及び扉側防犯プレート１５″が用いられている。本体側防犯プレート１３″は、遊技機本体１１の内側へ向って突出する環状の突出部１３ｃを有しており、この突出部１３ｃの内側の端部に第１起立部１３ａが設けられている。したがって、第１起立部１３ａは、突出部１３ｃの突出量の分だけ遊技機本体１１の内側面から内側に離れている。しかも、この実施の形態においては、第１起立部１３ａ全体が遊技機本体１１の前面より若干背面側に位置している。したがって、第１起立部１３ａ全体が遊技機本体１１の内側面と対向している。一方、扉側防犯プレート１５″の第２起立部１５ｃは、遊技機本体１１の前面より奥側まで延びており、遊技機本体１１の内側面と第１起立部１３ａとの間に入り込んでいる。
【００１７】
なお、この発明は、上記の実施の形態に限定されるものでなく、適宜変更可能である。
例えば、上記の各実施の形態においては、扉側防犯プレート１５（１５′）の第２起立部１５ｃを本体側防犯プレート１３（１３′）の第１起立部１３ａの内側に配置しているが、第２起立部１５ｃを第１起立部１３ａの外側に配置してもよい。ただし、図２及び図３又は図６から明らかなように、第２起立部１５ｃを第１起立部１３ａの内側に配置した場合には、扉１２が閉位置から開回動するときに、第２起立部１５ｃが第１起立部１３ａに干渉する（突き当たる）ことがなく、第２起立部１５ｃを第１起立部１３ａにほぼ接触する程度まで接近させることができ、それによって不正行為をより確実に防止することができる。したがって、第２起立部１５ｃを第１起立部１３ａの内側に配置することが望ましい。
【００１８】
【発明の効果】
以上説明したように、この発明によれば、遊技機の内部にピアノ線等が侵入されて不正行為が行われるのを確実に防止することができるという効果が得られる。
【図面の簡単な説明】
【図１】この発明に係るパチスロ遊技機の一実施の形態を、扉を開いた状態で示す一部省略側断面図である。
【図２】図１のＸ−Ｘ線に沿う拡大断面図である。
【図３】図１に示すパチスロ遊技機を、扉を閉じた状態で示す図２と同様の断面図である。
【図４】図１に示すパチスロ遊技機に用いられている本体側防犯プレートの第１起立部と扉側防犯プレートの第２起立部との関係を示す平面図である。
【図５】同パチスロ遊技機の遊技機本体と扉とを分離した状態で示す斜視図である。
【図６】この発明に係るパチスロ遊技機の第２実施の形態を示す図３と同様の断面図である。
【図７】この発明に係るパチスロ遊技機の第３実施の形態を示す図３と同様の断面図である。
【図８】従来のパチスロ遊技機の本体側防犯プレートの第１起立部と扉側防犯プレートの第２起立部との関係を示す平面図である。
【図９】図８のＸ−Ｘ線に沿う断面図である。
【図１０】図８のＹ円部の拡大図である。
【符号の説明】
１０  パチスロ遊技機（遊技機）
１０′パチスロ遊技機（遊技機）
１１  遊技機本体
１２  扉
１３  本体側防犯プレート
１３′  本体側防犯プレート
１３″  本体側防犯プレート
１３ａ  第１起立部
１５  扉側防犯プレート
１５′  扉側防犯プレート
１５″  扉側防犯プレート
１５ｃ  第２起立部
【図１】
0004209110.tif 000002
【図２】
0004209110.tif 000003
【図３】
0004209110.tif 000004
【図４】
0004209110.tif 000005
【図５】
0004209110.tif 000006
【図６】
0004209110.tif 000007
【図７】
0004209110.tif 000008
【図８】
0004209110.tif 000009
【図９】
0004209110.tif 000010
【図１０】
0004209110.tif 000011